(57)【要約】　　【課題】　特別遊技状態の終了後にも特定遊技判定による特定遊技状態の発生によって遊技者が利益を享受でき、その特定遊技状態の発生に当たり、その特定遊技判定の判定結果を遊技者が容易に把握できるようにする。  　【解決手段】　特別図柄始動手段13の遊技球の検出を条件に起動する抽選手段37と、抽選手段37の抽選結果を判定する抽選結果判定手段38と、抽選結果判定手段38が特別遊技と判定した後に、可変入賞手段14が開放する特別遊技状態の終了後に遊技者に有利な特定遊技状態を発生させるか否かを判定する特定遊技判定手段40と、特定遊技判定手段40が特定遊技状態と判定した場合に、特別遊技状態の終了後に特定遊技状態を発生させる特定遊技状態発生手段41と、特定遊技判定手段40が特定遊技状態と判定した場合に、特別図柄23a 〜23c が特別態様となる前の変動中にそれを報知する画像25を特別図柄表示手段19に表示する機能とを備える。【選択図】　図４
2004041792.tif 000002
【特許請求の範囲】
【請求項１】
遊技盤(3) に、特別図柄始動手段(13)と、可変入賞手段(14)と、前記特別図柄始動手段(13)の遊技球の検出を条件に所定時間変動して停止する複数個の特別図柄(23a) 〜(23c) を表示する特別図柄表示手段(19)とを備え、前記特別図柄始動手段(13)の遊技球の検出を条件に起動する抽選手段(37)と、該抽選手段(37)の抽選結果を判定する抽選結果判定手段(38)と、該抽選結果判定手段(38)が特別遊技と判定し、変動後の前記特別図柄(23a) 〜(23c) が所定の組み合わせである特別態様で停止した場合に、前記可変入賞手段(14)が開放する特別遊技状態を発生させる特別遊技状態発生手段(39)とを備えた遊技機において、前記抽選結果判定手段(38)が特別遊技と判定した後に、前記特別遊技状態の終了後に遊技者に有利な特定遊技状態を発生させるか否かを判定する特定遊技判定手段(40)と、該特定遊技判定手段(40)が特定遊技状態と判定した場合に、前記特別遊技状態発生手段(39)による前記特別遊技状態の終了後に前記特定遊技状態を発生させる特定遊技状態発生手段(41)と、前記特定遊技判定手段(40)が特定遊技状態と判定した場合に、前記特別図柄(23a) 〜(23c) が特別態様となる前の変動中にそれを報知する画像(25)を前記特別図柄表示手段(19)に表示する機能とを備えたことを特徴とする遊技機。
【発明の詳細な説明】
【技術分野】
【０００１】
本発明は、パチンコ機、アレンジボール機、雀球遊技機、回胴式遊技機等の遊技機に関するものである。
【背景技術】
【０００２】
パチンコ機等の弾球遊技機では、特別図柄起動手段が遊技球を検出したときに、その変動要求により特別図柄表示手段の複数個、例えば３個の特別図柄が変動を開始すると共に、抽選手段が乱数値を抽選する。その後、抽選結果判定手段が抽選手段の抽選結果から特別遊技判定、非特別遊技判定の判定を行い、その判定結果に応じて変動後の特別図柄が特別遊技判定の場合に特別態様で、非特別遊技判定の場合に非特別態様で夫々停止するように、特別図柄表示制御手段が各特別図柄を制御する。
【０００３】
そして、抽選結果判定手段での特別遊技判定の判定結果に従って変動後の特別図柄が特別態様で確定すれば、その確定後に特別遊技状態発生手段により遊技者に有利な特別遊技状態を発生させて、可変入賞手段を開放させる等によって遊技者に多大な利益を還元するようにしている。
【発明の開示】
【発明が解決しようとする課題】
【０００４】
　この種の弾球遊技機において、抽選結果判定手段の特別遊技判定があった場合に、特定遊技判定手段により特定遊技状態とするか否かを判定し、この特定遊技判定手段での特定遊技判定があった場合に、特別遊技状態の終了後に遊技者に有利な特定遊技状態を発生させることが考えられている。
【０００５】
　しかし、特定遊技状態を発生させるに当たって、特別遊技状態の終了後にただ単に特定遊技状態を発生させただけでは、遊技者は、その特定遊技状態の発生自体を知らずに遊技を行うことがあり、遊技者の興趣を十分に喚起し得ない問題がある。
【０００６】
　或いは特別図柄の一部により予め遊技者に特別遊技状態の発生を報知する場合では、その特別図柄が特定遊技状態とならない表示であった場合に、遊技者の興趣を喚起できない問題がある。
【０００７】
　本発明は、このような従来の問題点に鑑み、特別遊技状態の終了後にも特定遊技判定による特定遊技状態の発生によって遊技者が利益を享受でき、しかもその特定遊技状態の発生に当たり、その特定遊技判定の判定結果を遊技者が容易に把握でき、遊技者の興趣を喚起できる遊技機を提供することを目的とする。
【課題を解決するための手段】
【０００８】
本発明は、遊技盤3 に、特別図柄始動手段13と、可変入賞手段14と、前記特別図柄始動手段13の遊技球の検出を条件に所定時間変動して停止する複数個の特別図柄23a 〜23c を表示する特別図柄表示手段19とを備え、前記特別図柄始動手段13の遊技球の検出を条件に起動する抽選手段37と、該抽選手段37の抽選結果を判定する抽選結果判定手段38と、該抽選結果判定手段38が特別遊技と判定し、変動後の前記特別図柄23a 〜23c が所定の組み合わせである特別態様で停止した場合に、前記可変入賞手段14が開放する特別遊技状態を発生させる特別遊技状態発生手段39とを備えた遊技機において、前記抽選結果判定手段38が特別遊技と判定した後に、前記特別遊技状態の終了後に遊技者に有利な特定遊技状態を発生させるか否かを判定する特定遊技判定手段40と、該特定遊技判定手段40が特定遊技状態と判定した場合に、前記特別遊技状態発生手段39による前記特別遊技状態の終了後に前記特定遊技状態を発生させる特定遊技状態発生手段41と、前記特定遊技判定手段40が特定遊技状態と判定した場合に、前記特別図柄23a 〜23c が特別態様となる前の変動中にそれを報知する画像25を前記特別図柄表示手段19に表示する機能とを備えたものである。
【発明の効果】
【０００９】
本発明によれば、特別遊技状態の終了後にも特定遊技判定による特定遊技状態の発生によって遊技者が利益を享受でき、しかもその特定遊技状態の発生に当たり、その特定遊技判定の判定結果を遊技者が容易に把握でき、遊技者の興趣を喚起できる。
【発明を実施するための最良の形態】
【００１０】
以下、本発明の実施形態を図面に基づいて詳述する。図１〜図６は本発明の第１の実施形態を例示し、図１において、1 は遊技機本体で、開閉自在に枢着された前枠2 を有する。前枠2 には、遊技盤3 が裏側から着脱自在に装着され、この遊技盤3 の前側にガラス扉4 と前面板5 とが開閉自在に配置されている。前面板5 には、発射用の遊技球を貯留する上皿6 が装着されている。前枠2 の下部には、余剰球を貯留する下皿7 と、発射手段8 の発射ハンドル9 とが設けられている。
【００１１】
遊技盤3 には、図２に示すように、ガイドレール10が環状に装着されると共に、そのガイドレール10の内側の遊技領域11に液晶表示手段12、特別図柄起動手段13、可変入賞手段14、普通入賞手段15〜17、普通図柄起動手段18等の遊技部品が配置されている。液晶表示手段12は、特別図柄表示手段19と特定遊技判定結果表示手段（特定遊技判定結果報知手段）20を兼用し、また上部に普通図柄表示手段21が設けられている。
【００１２】
特別図柄表示手段19は、図３に示すように液晶表示手段12の表示領域22に設けられ、１個又は複数個、例えば変動可能な３個の特別図柄23a,23b,23c と、この特別図柄23a,23b,23c の背景となる動画、その他の背景画像24とを表示するように構成されている。特別図柄23a,23b,23c は、特別図柄起動手段13が遊技球を検出することを条件に、乱数制御によって所定時間変動して特別態様、非特別態様の何れかで停止するようになっている。
【００１３】
　特別態様は、例えば「７・７・７」等のように特別図柄23a,23b,23c の全てが同種図柄となる等の所定の組み合わせを言い、また非特別態様は、例えば「７・３・７」等のように特別図柄23a,23b,23c の少なくとも一部が異なる等、特別態様以外の組み合わせを言う。
【００１４】
　なお、特別図柄23a,23b,23c には、数字図柄、アルファベット図柄、キャラクター図柄、その他の図柄が使用可能であり、この実施形態では０〜９までの１０種類の数字図柄を使用し、その１０種類の数字図柄が所定の図柄変動パターンで変動するようになっている。
【００１５】
　特定遊技判定結果表示手段20は、後述の特定遊技判定があった場合に、その判定結果を遊技者に表示して報知するためのもので、図３に示すように、液晶表示手段12の表示領域22の一部領域、即ち特別図柄表示手段19の一部の領域20a を利用して構成されている。従って、この特定遊技判定結果表示手段20は、特別図柄表示手段19に設けられている。
【００１６】
　なお、特定遊技判定結果表示手段20は、特定遊技判定があった場合に、特別図柄23a,23b,23c の特別態様での確定から特別遊技状態の終了までの何れかの時期に、文字、記号、図柄、キャラクター等の特定遊技判定画像25（図６参照）を表示するようになっている。
【００１７】
普通図柄表示手段21は１個又は複数個、例えば１個の普通図柄を変動表示可能であり、普通図柄起動手段18が遊技球を検出することを条件に、その普通図柄が乱数制御により所定時間変動して所定態様、非所定態様の何れかで停止するようになっている。なお、この実施形態では、特別図柄23a,23b,23c に対応させて普通図柄にも０〜９までの１０種類の数字図柄を使用している。
【００１８】
特別図柄起動手段13は、遊技者に不利な第１状態（閉状態）と有利な第２状態（開状態）とに変換動作可能であって、開閉自在な左右一対の開閉爪26を備えた電動チューリップ等により構成されている。特別図柄起動手段13は、普通図柄表示手段21の変動後の普通図柄が所定態様となった場合に、開閉爪26が所定時間、例えば０．５秒間程度開放するようになっている。普通図柄起動手段18は通過ゲート又は入賞手段等によって構成されている。
【００１９】
可変入賞手段14は、遊技者に不利な第１状態（閉状態）と有利な第２状態（開状態）とに変換動作可能であって、下部側の横軸廻りに開閉自在に枢支された開閉板27を備え、変動後の特別図柄23a,23b,23c が特別態様となって特別遊技状態が発生したときに、開閉板27が前側に開放して遊技者に有利な遊技状態に移行するようになっている。
【００２０】
可変入賞手段14にはその内部に特定領域28が設けられており、この特定領域28が遊技球の通過を検出することを条件に特別遊技状態を継続させるようになっている。なお、可変入賞手段14は、開放後に所定時間が経過したとき、又は所定数（例えば１０個）の遊技球が入賞したときの何れか早い方を条件に開閉板27が閉じると共に、遊技球が特定領域28を通過することを条件に、最大所定回数（例えば１６回）まで開閉動作を繰り返すようになっている。
【００２１】
図４は制御系の概要を示すブロック図である。図４において、30は主制御基板で、遊技盤3 の裏側等に着脱自在に装着されている。31は表示制御基板で、液晶表示手段12の裏側等、遊技盤3 の裏側の適当箇所に着脱自在に装着されており、主制御基板30とは別基板により構成されている。
【００２２】
主制御基板30には、主として遊技盤3 側の遊技動作を制御する主制御手段32が装着されている。主制御手段32は、第１抽選手段33、第１抽選結果判定手段34、普通図柄表示制御手段35、開閉制御手段36、第２抽選手段37、第２抽選結果判定手段38、特別遊技状態発生手段39、特定遊技判定手段40、特定遊技状態発生手段41等を備え、ＣＰＵ、ＲＯＭ、ＲＡＭ等により構成されている。
【００２３】
表示制御基板31は、専ら液晶表示手段12側の表示制御を行うためのもので、特別図柄表示制御手段42、特定遊技判定結果表示制御手段43等を備え、ＣＰＵ、ＲＯＭ、ＲＡＭ等により構成されている。主制御基板30と表示制御基板31は、主制御手段32側から特別図柄表示制御手段42、特定遊技判定結果表示制御手段43に所定のコマンドを一方向通信により送信するように、一方向通信手段44を介して接続されている。
【００２４】
一方向通信手段44は、主制御基板30側の送信部45と表示制御基板31側の受信部46とを備え、その送信部45と受信部46とを接続する送信用配線には、少なくともデータ信号用の複数本の線47と、ストローブ用の１本の線48とが含まれており、コマンドデータと並列に同期パルスを送るストローブ方式が採用されている。
【００２５】
送信部45は、第２抽選結果判定手段38での判定結果（非特別遊技判定、特別遊技判定）、変動時間、その他の特別図柄表示手段19の特別図柄23a,23b,23c の表示制御に必要なコマンドと、特定遊技判定手段40での判定結果（特定遊技判定、非特定遊技判定）、その他の特定遊技判定結果表示手段20の特定遊技判定画像25の表示制御に必要なコマンドを送信し、受信部46はそのコマンドを解析するようになっている。
【００２６】
　第１抽選手段33は乱数式であって、所定判定値を含む所定数、例えば０〜９までの乱数値を発生し、普通図柄起動手段18が遊技球を検出することを条件に、その０〜９の乱数値の何れかを抽選するようになっている。第１抽選結果判定手段34は、第１抽選手段33の抽選結果が所定判定値か否かを判定して、所定判定、非所定判定の判定結果を出すように構成されている。
【００２７】
普通図柄表示制御手段35は、普通図柄起動手段18が遊技球を検出することを条件に、普通図柄表示手段21の普通図柄を所定時間変動させると共に、変動後の普通図柄を第１抽選結果判定手段34の判定結果に応じて、所定判定の場合に所定態様で、非所定判定の場合に非所定態様で夫々停止し確定させるように構成されている。
【００２８】
開閉制御手段36は、第１抽選結果判定手段34での所定判定があって、普通図柄表示手段21の変動後の停止図柄が「７」等の所定態様を停止表示した場合に、特別図柄起動手段13の開閉爪26を所定時間、例えば０．５秒程度開放させるようになっている。
【００２９】
　第２抽選手段37は乱数式であって、特別遊技判定乱数値を含む所定数、例えば０〜３４９までの特別遊技用乱数値と、約半分の特定遊技判定乱数値を含む０〜９までの特定遊技用乱数値とを発生し、特別図柄起動手段13が遊技球を検出することを条件に、特別遊技用乱数値の何れかを抽選するようになっている。
【００３０】
第２抽選結果判定手段38は、第２抽選手段37の特別遊技用乱数値の抽選結果が特別遊技判定乱数値か否かを判定して、抽選乱数値が特別遊技判定乱数値のときに特別遊技状態とする旨の特別遊技判定の判定結果を、それ以外のときに非特別遊技状態とする旨の非特別遊技判定の判定結果を夫々出すように構成されている。
【００３１】
なお、特別遊技状態発生手段39は、第２抽選結果判定手段38で特別遊技判定があって、特別図柄表示手段19の変動後の特別図柄23a,23b,23c が特別態様を停止表示した場合に、遊技者に有利な特別遊技状態を発生させるためのものである。
【００３２】
　この特別遊技状態発生手段39は、例えば特別遊技状態の発生後に可変入賞手段14の開閉板27が開放し、その開放から所定時間が経過したとき、又は所定数（例えば１０個）の遊技球が入賞したときの何れか早い方を条件に開閉板27が閉じるように制御し、また遊技球が特定領域28を通過することを条件に、最大所定回数（例えば１６回）まで開閉動作を継続させるようになっている。
【００３３】
　特定遊技判定手段40は、特定遊技状態とするか否かを判定するためのもので、第２抽選結果判定手段38での特別遊技判定の後に機能してその判定を行うようになっている。即ち、特定遊技判定手段40は、第２抽選結果判定手段38での特別遊技判定があった場合に、第２抽選手段37の抽選結果が特定遊技判定乱数値か否かを判定して、抽選乱数値が特定判定乱数値のときに特定遊技状態とする旨の特定遊技判定の判定結果を、それ以外のときに非特定遊技状態とする旨の非特定遊技判定の判定結果を夫々出すように構成されている。
【００３４】
　なお、特定遊技判定手段40は、特別図柄表示手段19の変動後の停止図柄が特別態様で確定した場合、特別図柄表示制御手段42からの信号により、その特別態様の特別図柄23a,23b,23c の種類に応じて特定遊技状態とするか否かを判定するようにしても良い。その場合には、例えば特別図柄23a,23b,23c が奇数図柄のときに特定遊技状態とする旨の特定遊技判定を、偶数図柄のときに非特定遊技状態とする旨の非特定遊技判定を夫々行うようにすれば良い。
【００３５】
　特定遊技状態発生手段41は、特定遊技判定手段40での特定遊技判定があった場合に、その判定結果に従って特別遊技状態の終了後に遊技者に有利な特定遊技状態を発生させるためのものである。即ち、この実施形態では特定遊技状態発生手段41は、例えば第２抽選結果判定手段38での抽選結果の判定に際して、その特別遊技判定乱数値の数を増加させる等によって、第２抽選結果判定手段38が特別遊技判定と判定する確率を、例えば１／３５０程度の通常確率から１／５０程度の高確率に確率変動させるようになっている。
【００３６】
　なお、特定遊技状態発生手段41は、特別遊技状態の終了後に特別図柄表示手段19が所定回数（例えば５０回又は１００回程度）変動した場合及び／又は特別遊技状態の終了後に次の特別遊技状態が発生した場合等、所定の解除条件を満たした場合に、その特定遊技状態（高確率状態）を解除して通常の遊技状態（通常確率）に戻すようになっている。解除条件は、特定遊技状態の発生から所定時間が経過したとき等でも良く、特別図柄表示手段19の変動回数、次の特別遊技状態の発生等に限定されるものではない。
【００３７】
　特別図柄表示制御手段42は、一方向通信手段44を介して送信される特別図柄起動手段13からの変動要求を条件に、特別図柄表示手段19の特別図柄23a,23b,23c を所定時間変動させると共に、その変動後の特別図柄23a,23b,23c が第２抽選結果判定手段38の判定結果に応じて、特別遊技判定の場合に特別態様で、非特別遊技判定の場合に非特別態様で夫々停止し確定するように、各特別図柄23a,23b,23c を所定時間、所定の変動パターンで変動させて所定の順序で停止させるようになっている。
【００３８】
　なお、この実施形態では、特別図柄表示制御手段42は、特別態様での確定後もその確定状態の特別図柄23a,23b,23c を特別遊技状態が終了するまで表示させるようになっている。しかし、特別図柄23a,23b,23c が特別態様で確定した後は、背景画像24で特別遊技状態を演出するようにしても良い。
【００３９】
　特定遊技判定結果表示制御手段43は、一方向通信手段44を介して送信される特定遊技判定手段40からの特定遊技判定、非特定遊技判定等の信号に従って、特別図柄表示手段19の特別図柄23a,23b,23c が特別態様で確定した時点から、特別遊技状態発生手段39による特別遊技状態の終了までの間の適当な時期に、その判定結果を特定遊技判定結果表示手段20に表示させるためのもので、特別図柄表示手段19の一部の領域20a に特定遊技判定画像25を所定時間だけ一時的に出現させるようになっている。
【００４０】
　なお、特定遊技判定結果表示制御手段43は、特定遊技判定画像25をその表示開始から特別遊技状態の発生時点、特定遊技状態の発生時点、特定遊技状態の発生中の適宜時点又は特定遊技状態の終了時点まで連続的又は間欠的に表示させるようにしても良い。
【００４１】
　特定遊技判定画像25には、遊技主題を直接的又は間接的に連想させる画像を使用することが望ましい。例えば、海中の風景を遊技主題としたものであって、前面側に海中の風景を示す絵柄を印刷した遊技盤3 を使用する場合には、図６に示すように、特別図柄表示手段19に魚が泳ぐ背景画像24を動画的に表示し、特定遊技判定結果表示手段20に鯨等の画像を特定遊技判定画像25として表示すれば良い。
【００４２】
上記弾球遊技機において、遊技に際しては、発射手段8 の発射ハンドル9 を操作して、発射手段8 により遊技球をガイドレール10に沿って順次遊技盤3 側に発射させて行く。すると遊技盤3 の上部側に発射された遊技球は、遊技盤3 の遊技領域11に入った後、その盤面に沿って落下する間に普通入賞手段15〜17等に入賞するか、普通図柄起動手段18を通過して下方へと落下する。
【００４３】
　普通図柄起動手段18が遊技球を検出すると、普通図柄表示制御手段35が普通図柄表示手段21の普通図柄を変動させると共に、第１抽選手段33が発生乱数値を抽選して、その抽選結果に基づいて第１抽選結果判定手段34が判定する。そして、第１抽選結果判定手段34での所定判定があった場合に、普通図柄表示手段21の変動後の停止図柄が例えば「７」等の所定態様で停止し、開閉制御手段36により特別図柄起動手段13の開閉爪26が所定時間開放して、この特別図柄起動手段13に遊技球が入賞し易くなる。
【００４４】
　特別図柄起動手段13が遊技球の入賞を検出すると、図５に示すようなタイミングで各部が動作する。即ち、特別図柄起動手段13が遊技球の入賞を検出すると、特別図柄表示制御手段42が特別図柄表示手段19の特別図柄23a,23b,23c を変動させると共に、第２抽選手段37が特別遊技用乱数値を抽選する。そして、先ず第２抽選結果判定手段38が特別遊技用乱数値の抽選結果に基づいて特別遊技判定か否かを判定し、その判定結果が特別遊技判定であれば、その後に特定遊技判定手段40が機能してその抽選結果に基づいて特定遊技判定か否かを判定する。
【００４５】
第２抽選結果判定手段38から特別遊技判定と非特別遊技判定の何れかの判定結果があれば、特別図柄表示手段19の特別図柄23a,23b,23c は、特別図柄表示制御手段42の制御により所定時間変動した後、その判定結果に従って特別態様又は非特別態様で停止し確定する。例えば、判定結果が非特別遊技判定の場合には、特別図柄23a,23b,23c は「７・３・７」等の非特別態様で停止し、また特別遊技判定の場合には、「７・７・７」等の特別態様で停止する。
【００４６】
　そして、特別図柄23a,23b,23c が特別態様で停止すれば、その停止と同時又はその直後に特別遊技状態発生手段39が特別遊技状態を発生させて、可変入賞手段14の開閉板27が前側に開放し、遊技者に有利な遊技状態となる。
【００４７】
なお、開閉板27が前側に開放すれば、この開閉板27が上から落下する遊技球を可変入賞手段14内へと案内するため、遊技者は多大な利益を享受できる。また可変入賞手段14に入賞した遊技球が特定領域28を通過すれば、可変入賞手段14の開閉板27が閉じた後、再度開放し、最大所定回数に達するまで同様の動作を繰り返す。
【００４８】
　一方、特定遊技判定手段40での判定結果が特定遊技判定であれば、特別図柄表示手段19の特別図柄23a,23b,23c が特別態様で確定してから特別遊技状態の終了までの間に、特定遊技判定結果表示制御手段43の制御により、図６に示すように特定遊技判定結果表示手段20に特定遊技判定画像25が出現し、この特定遊技判定画像25によって、既に発生中の特別遊技状態を演出すると共に、その特別遊技状態の終了後の特定遊技状態の発生を遊技者に対して予告的に報知する。
【００４９】
　従って、遊技者は、特定遊技判定結果表示手段20に特定遊技判定画像25が出現することによって、特定遊技判定の判定結果、及びその後の特定遊技状態の発生を容易に把握できるため、遊技者の遊技に対する興趣を喚起できる。
【００５０】
　特別遊技状態が終了すると、特定遊技状態発生手段41が特定遊技状態を発生させ、第２抽選結果判定手段38が特別遊技判定と判定する確率を、例えば１／３５０程度の通常確率から１／５０程度の高確率に確率変動させる。このため第２抽選結果判定手段38が第２抽選手段37の抽選結果を判定するに際して、特別遊技判定と判定する可能性が非常に高くなり、特定遊技状態中に再度、特別遊技状態の発生する可能性が高くなり、これによって遊技者は更に利益を享受できる。
【００５１】
　なお、特定遊技状態は、特別遊技状態の終了後に特別図柄表示手段19が例えば５０回又は１００回程度変動するか、又はそれまでに次の特別遊技状態が発生する等の所定の解除条件を満たした場合に解除され、その後は通常の遊技状態に戻る。
【００５２】
　図７及び図８は本発明の第２の実施形態を例示し、この実施形態では、特定遊技判定結果表示手段20は、特別図柄表示手段19の表示領域22の一部又は全部の領域20a を一時的に使用して、変動後の特別図柄23a,23b,23c が特別態様で確定してから特別遊技状態が終了するまでの何れかの時期に、その領域20a に特定遊技判定手段40の判定結果を表示するようになっている。
【００５３】
　即ち、特定遊技判定結果表示手段20は、図７に点線で示すように液晶表示手段12の表示領域22の内、特別図柄表示手段19の特別図柄23a,23b,23c 及び／又は背景画像24の一部又は全部に重なる領域20a を利用しており、その領域20a に特定遊技判定画像25を表示するようになっている。
【００５４】
　通常、特別図柄表示手段19は、図７に示すように表示領域22の所要範囲に特別図柄23a,23b,23c 及び背景画像24を表示している。そして、特定遊技判定手段40の特定遊技判定があると、図８に示すように、特別遊技判定結果表示制御手段43の制御により、特定遊技判定結果表示手段20に特定遊技判定画像25を所定時間表示する。
【００５５】
この場合、特定遊技判定結果表示手段20に対応する領域20a の特別図柄23a,23b,23c 及び／又は背景画像24を消去して特定遊技判定画像25を表示しても良いし、その領域20a に対応する特別図柄23a,23b,23c 及び／又は背景画像24に重ねて特定遊技判定画像25を表示しても良い。なお、背景画像24に鼠の画像を、特定遊技判定画像25に猫の画像を夫々使用している。
【００５６】
本実施例によれば、遊技者の遊技に関連して起動する抽選手段37と、該抽選手段37の抽選結果を判定する抽選結果判定手段38と、該抽選結果判定手段38での特別遊技判定があった場合に、遊技者に有利な特別遊技状態を発生させる特別遊技状態発生手段39とを備えた遊技機であって、特別遊技判定及び／又は特別遊技状態であることを報知する報知手段19と、特別遊技判定後に特定遊技状態とするか否かを判定する特定遊技判定手段40と、該特定遊技判定手段40での特定遊技判定があった場合に、特別遊技状態の終了後に遊技者に有利な特定遊技状態を発生させる特定遊技状態発生手段41と、特定遊技判定手段40の特定遊技判定の判定結果を報知する特定遊技判定結果報知手段20とを備えているので、特別遊技状態の終了後にも特定遊技判定による特定遊技状態の発生によって遊技者が利益を享受でき、しかもその特定遊技状態の発生に当たり、その特定遊技判定の判定結果を遊技者が容易に把握でき、遊技者の興趣を喚起できる。
【００５７】
　また図柄表示手段19に特定遊技判定結果報知手段20を備えているので、部品点数を少なくできる。更に特定遊技判定結果報知手段20は図柄表示手段19の一部の領域20a 又は全ての領域を使用して構成され、且つ特別態様から特別遊技状態の終了までの何れかの時期に、遊技者に特定遊技判定手段40の判定結果を表示する機能を備えているので、部品点数を少なくできると共に、図柄変動と判定結果の表示とを視覚的に容易に把握でき、しかも判定結果の表示により特定遊技状態の発生を予告できる。
【００５８】
　特定遊技判定結果報知手段20は図柄表示手段19を一時的に使用するように構成され、且つ特別態様から特別遊技状態の終了までの何れかの時期に、遊技者に特定遊技判定手段40の判定結果を表示する機能を備えているので、部品点数を少なくできると共に、図柄変動と判定結果の表示とを視覚的に容易に把握でき、しかも判定結果の表示により特定遊技状態の発生を予告できる。
【００５９】
また特定遊技判定結果報知手段20は特別態様の表示に関係なく特定遊技判定手段40の判定結果を表示するようにしているので、特別態様と判定結果が対応しない場合があり、遊技者に不可思議感を与えて興趣を喚起させることもできる。
【００６０】
　更に抽選手段37、抽選結果判定手段38及び特定遊技判定手段40を含み且つ主として遊技動作を制御する主制御手段32を主制御基板30に設け、少なくとも表示制御手段42を表示制御基板31に設け、主制御基板30から表示制御基板31にコマンドを送信する配線は、少なくともデータ用の複数本の線47と、ストローブ信号用の１本の線48とで構成しているので、全体の構造を簡易化できると共に、主制御基板30から表示制御基板31側への信号の送信を容易にできる。
【００６１】
以上、本発明の各実施形態について詳述したが、本発明はこの各実施形態に限定されるものではない。例えば、実施形態では、第２抽選結果判定手段38の特別遊技判定に従って変動後の特別図柄23a,23b,23c が特別態様になり、その確定した特別図柄23a,23b,23c を特別遊技状態の終了まで表示するようにしているため、特別図柄表示手段19が、第２抽選結果判定手段38の特別遊技判定及び／又は特別遊技状態を遊技者に報知する報知手段を兼用する構成になっている。しかし、この報知手段には、特別図柄表示手段19以外のランプ、その他の適宜表示手段を使用しても良いし、表示手段に代えて音声を発生するスピーカ等の音声発生手段等を使用しても良い。従って、この報知手段には、広く視覚的及び／又は聴覚的手段を採用することが可能である。
【００６２】
　また実施形態では特定遊技判定結果報知手段として、特定遊技判定結果表示手段20を採用しているが、この特定遊技判定結果報知手段にも特定遊技判定結果表示手段20に代えてスピーカ等の音声発生手段を使用しても良い。特定遊技判定結果表示手段20を採用する場合でも、特別図柄表示手段19の表示領域22の一部又は全部を利用する他、特別図柄表示手段19とは別に設けて、それに特定遊技判定画像25を表示するようにしても良いし、ランプの点滅、その他で特定遊技判定結果を表示するようにしても良い。従って、この特定遊技判定結果報知手段にも、必要に応じて視覚的及び／又は聴覚的手段を採用することが可能である。
【００６３】
　特定遊技判定結果報知手段は、一般的には特別図柄表示手段19の特別態様から特別遊技状態発生手段39による特別遊技状態の終了までの時期、即ち特定遊技状態が発生するまでの間に、特定遊技判定手段40の判定結果を報知するのが望ましいが、第２抽選結果判定手段38の判定結果が特別遊技判定の場合には、その判定結果が出た後であれば、変動後の特別図柄23a,23b,23c が特別態様となる前、即ち特別図柄23a,23b,23c の変動中に報知を開始するようにしても良い。
【００６４】
　但し、予告的機能を持たせるには、特定遊技状態の発生までに報知を開始する必要がある。連続的報知、断続的報知、間欠的報知に関係なく、報知の終了は特定遊技状態の終了までであれば何時でも良い。
【００６５】
　特定遊技判定結果報知手段は、実施形態では特定遊技判定があった場合に、それを遊技者に報知するようにしているが、特定遊技判定及び非特定遊技判定の両方を報知するようにしても良い。
【００６６】
　また実施形態では、特別図柄表示手段19と普通図柄表示手段21とを備えた弾球遊技機において、その特別図柄表示手段19の特別図柄23a,23b,23c と関連して特別遊技状態が発生し、その終了後に特定遊技状態が発生するようにしているが、普通図柄表示手段21の普通図柄と関連させるようにしても良い。勿論、特別図柄表示手段19と普通図柄表示手段21との一方を備えた弾球遊技機でも同様に実施可能である。また普通図柄表示手段21、特別図柄表示手段19等の図柄表示手段を備えていない弾球遊技機においても実施可能である。
【００６７】
　特定遊技判定結果報知手段は、特別態様の表示に関係なく特定遊技判定手段40の判定結果を表示するようにしても良い。主制御基板30と表示制御基板31との間でのコマンドの送信は、ストローブ方式による他、ハンドシェイク（応答確認）方式を採用しても良い。その他、本発明は、パチンコ機以外の弾球遊技機、例えばアレンジボール機、雀球遊技機は勿論のこと、回胴式遊技機においても同様に実施可能である。
【図面の簡単な説明】
【００６８】
【図１】本発明の第１の実施形態を示す弾球遊技機の正面図である。
【図２】本発明の第１の実施形態を示す遊技盤3 の正面図である。
【図３】本発明の第１の実施形態を示す液晶表示手段の拡大正面図である。
【図４】本発明の第１の実施形態を示す制御系のブロック図である。
【図５】本発明の第１の実施形態を示すタイミングチャートである。
【図６】本発明の第１の実施形態を示す液晶表示手段の拡大正面図である。
【図７】本発明の第２の実施形態を示す液晶表示手段の拡大正面図である。
【図８】本発明の第２の実施形態を示す液晶表示手段の拡大正面図である。
【符号の説明】
【００６９】
19  特別図柄表示手段
20  特別遊技判定結果表示手段
　20a   領域
30  主制御基板
31  表示制御基板
32  主制御手段
37  第２抽選手段
38  第２抽選結果判定手段
39  特別遊技状態発生手段
40  特定遊技判定手段
41  特定遊技状態発生手段
42  特別図柄表示制御手段
　47,48   線
【図１】
2004041792.tif 000003
【図２】
2004041792.tif 000004
【図３】
2004041792.tif 000005
【図４】
2004041792.tif 000006
【図５】
2004041792.tif 000007
【図６】
2004041792.tif 000008
【図７】
2004041792.tif 000009
【図８】
2004041792.tif 000010